(57)【要約】【課題】  必要な医用情報に対して容易かつ迅速にアクセスすることができる医用情報処理システムを提供する。【解決手段】  格納手段１０１は医用情報を格納する。関連付け手段１０２は、ユーザの指示に従って、格納手段１０１に格納された医用情報のうち、特定の目的に使用する特定情報を予め互いに関連付ける。取得手段１０３は、関連付け手段１０２により互いに関連付けられた特定情報を、ユーザの指示に従って取得する。この医用情報処理システムによれば、関連付け手段１０２により予め互いに関連付けられた特定情報をユーザの指示に従って取得するので、必要な情報を短時間で確実に取得できる。ユーザの指示を受け付ける端末装置３１，３２を備えてもよい。また、取得手段１０３は、取得された特定情報を端末装置３２に向けて配信してもよい。特定情報は、カンファレンスや学会発表のための情報であってもよい。【選択図】図１
2007048099.tif 000002
【特許請求の範囲】
【請求項１】
医用情報を取り扱う医用情報処理システムにおいて、
医用情報を格納する格納手段と、
ユーザの指示に従って、前記格納手段に格納された医用情報のうち、特定の目的に使用する特定情報を予め互いに関連付ける関連付け手段と、
前記関連付け手段により互いに関連付けられた前記特定情報を、ユーザの指示に従って取得する取得手段と、
を備えることを特徴とする医用情報処理システム。
【請求項２】
前記ユーザの指示を受け付ける端末装置を備えることを特徴とする請求項１に記載の医用情報処理システム。
【請求項３】
前記取得手段は、取得された前記特定情報を前記端末装置に向けて配信することを特徴とする請求項２に記載の医用情報処理システム。
【請求項４】
前記特定情報は、カンファレンスのための情報であることを特徴とする請求項１〜３のいずれか１項に記載の医用情報処理システム。
【請求項５】
前記特定情報へのユーザのアクセスを制限するアクセス制限手段を備えることを特徴とする請求項１〜４のいずれか１項に記載の医用情報処理システム。
【請求項６】
医用情報を取り扱う医用情報処理方法において、
医用情報を格納するステップと、
ユーザの指示に従って、前記格納するステップで格納された医用情報のうち、特定の目的に使用する特定情報を予め互いに関連付けるステップと、
前記関連付けるステップにより互いに関連付けられた前記特定情報を、ユーザの指示に従って取得するステップと、
を備えることを特徴とする医用情報処理方法。
【請求項７】
前記ユーザの指示を端末装置により受け付けることを特徴とする請求項６に記載の医用情報処理方法。
【請求項８】
前記取得するステップでは、取得された前記特定情報を前記端末装置に向けて配信することを特徴とする請求項７に記載の医用情報処理方法。
【請求項９】
前記特定情報は、カンファレンスのための情報であることを特徴とする請求項６〜８のいずれか１項に記載の医用情報処理方法。
【請求項１０】
前記特定情報へのユーザのアクセスを制限するステップを備えることを特徴とする請求項６〜９のいずれか１項に記載の医用情報処理方法。
【発明の詳細な説明】
【技術分野】
【０００１】
本発明は、医用情報を取り扱う医用情報処理システム等に関し、とくに医用情報へのアクセスに際しての操作性を高めた医用情報処理システム等に関する。
【背景技術】
【０００２】
医療機関において患者の診療方針を決定し、あるいは教育を行うためのカンファレンスを実施する場合、カンファレンスに使用するデータを、選択、取得する必要がある。医療機関で用いられている従来の医用情報システムでは、カンファレンスルームに設置された端末装置を用いて、オペレータが必要なデータを１つずつ取得しながら、カンファレンスを行っている。
【０００３】
【特許文献１】特開２００１−１２８０９８号公報
【発明の開示】
【発明が解決しようとする課題】
【０００４】
しかし、医療機関内には多数の診療部門や検査部門があり、多種類のデータを取り扱っている。このため、カンファレンス中に必要なデータにアクセスするための操作は複雑であり、必要なデータの収集に長時間を要し、操作を誤りやすい等の問題もある。
【０００５】
本発明の目的は、必要な医用情報に対して容易かつ迅速にアクセスすることができる医用情報処理システム等を提供することにある。
【課題を解決するための手段】
【０００６】
本発明の医用情報処理システムは、医用情報を取り扱う医用情報処理システムにおいて、医用情報を格納する格納手段と、ユーザの指示に従って、前記格納手段に格納された医用情報のうち、特定の目的に使用する特定情報を予め互いに関連付ける関連付け手段と、前記関連付け手段により互いに関連付けられた前記特定情報を、ユーザの指示に従って取得する取得手段と、を備えることを特徴とする。
この医用情報処理システムによれば、関連付け手段により予め互いに関連付けられた特定情報をユーザの指示に従って取得するので、必要な情報を短時間で確実に取得できる。
【０００７】
前記ユーザの指示を受け付ける端末装置を備えてもよい。
【０００８】
前記取得手段は、取得された前記特定情報を前記端末装置に向けて配信してもよい。
【０００９】
前記特定情報は、カンファレンスのための情報であってもよい。
【００１０】
前記特定情報へのユーザのアクセスを制限するアクセス制限手段を備えてもよい。
本発明の医用情報処理方法は、医用情報を取り扱う医用情報処理方法において、医用情報を格納するステップと、ユーザの指示に従って、前記格納するステップで格納された医用情報のうち、特定の目的に使用する特定情報を予め互いに関連付けるステップと、前記関連付けるステップにより互いに関連付けられた前記特定情報を、ユーザの指示に従って取得するステップと、を備えることを特徴とする。
この医用情報処理方法によれば、予め互いに関連付けられた特定情報をユーザの指示に従って取得するので、必要な情報を短時間で確実に取得できる。
【００１１】
前記ユーザの指示を端末装置により受け付けてもよい。
【００１２】
前記取得するステップでは、取得された前記特定情報を前記端末装置に向けて配信してもよい。
【００１３】
前記特定情報は、カンファレンスのための情報であってもよい。
【００１４】
前記特定情報へのユーザのアクセスを制限するステップを備えてもよい。
【発明の効果】
【００１５】
本発明の医用情報処理システムによれば、関連付け手段により予め互いに関連付けられた特定情報をユーザの指示に従って取得するので、必要な情報を短時間で確実に取得できる。
【００１６】
本発明の医用情報処理方法によれば、予め互いに関連付けられた特定情報をユーザの指示に従って取得するので、必要な情報を短時間で確実に取得できる。
【発明を実施するための最良の形態】
【００１７】
図１は本発明による医用情報処理システムを機能的に示すブロック図である。
【００１８】
図１において、格納手段１０１は医用情報を格納する。関連付け手段１０２は、ユーザの指示に従って、格納手段１０１に格納された医用情報のうち、特定の目的に使用する特定情報を予め互いに関連付ける。取得手段１０３は、関連付け手段１０２により互いに関連付けられた特定情報を、ユーザの指示に従って取得する。
【００１９】
以下、図２〜図５を参照して、本発明による医用情報処理システムの一実施形態について説明する。
【００２０】
図２は本実施形態の医用情報処理システムの構成を示すブロック図である。
【００２１】
図２に示すように、本実施形態の医用情報処理システムは、医用情報を統合的に管理する情報処理サーバ１と、種々の医用情報を格納するデータ格納部２と、ユーザの操作を受け付ける端末装置３１，３２，・・・と、を備える。端末装置３１，３２，・・・は通信回線５を介して情報処理サーバ１に接続されている。Ｗｅｂ（World Wide Web）を用いて端末装置３１，３２，・・・を情報処理サーバ１に接続する場合には、医療機関の外部からも情報処理サーバ１にアクセスできる。
【００２２】
図３は、データ格納部２に格納されるデータ構成を例示する図である。図３の例では、放射線科システム６１（図２）で作成された放射線検査画像群のデータである放射線検査画像データ２１、個々の放射線検査画像に関するレポート群のデータである放射線検査レポートデータ２２、生理検査システム６２（図２）で作成された生理検査レポート群のデータである生理検査レポートデータ２３、生体検査システム６３（図２）で作成された生体検査レポート群のデータである生体検査レポートデータ２４、電子カルテシステム６４（図２）で使用される診療録群のデータである診療録データ２５、および看護システム６５（図２）により作成された温度版データ２６等が格納されている。
【００２３】
次に、カンファレンスを行う場合を例として、本実施形態の医用情報処理システムの動作について説明する。
【００２４】
カンファレンスに先立って、オペレータは、例えば端末装置３１を用いてカンファレンスに使用するデータを予め指定する。個々のカンファレンスと、そのカンファレンスに使用されるデータとの関連付けを示すテーブルは、情報処理サーバ１の記憶部１１に記憶される。
【００２５】
図４はカンファレンスと、使用されるデータとの関連付けを示すテーブルの構成例を示す図である。
【００２６】
図４に示すように、個々のカンファレンスはカンファレンスＩＤにより特定される。各カンファレンスには、そのカンファレンスで使用されるデータが対応付けられる。例えば、「００１」というカンファレンスＩＤで示されるカンファレンスに対応付けられるデータは、放射線検査画像Ａ、放射線検査レポートＢ、生理検査レポートＣ、生理検査レポートＤ等である。
【００２７】
上記テーブルにおいて、放射線検査画像は放射線検査画像データ２１に、放射線検査レポートは放射線検査レポートデータ２２に、生理検査レポートは生理検査レポートデータ２３に、検体検査レポートは検体検査レポートデータ２４に、それぞれ含まれるデータである。
【００２８】
これらのデータには個々のデータをユニークに識別するためのデータＩＤが割り当てられている。オペレータはこのデータＩＤを検索キーとして各データを検索、指定することができる。データＩＤには、例えば、患者ＩＤ、検査内容、検査日時等の要素を含めることができる。
【００２９】
図５のステップＳ１〜ステップＳ３は、上記テーブルを作成、記憶する際の情報処理サーバ１の処理手順を示すフローチャートである。情報処理サーバ１は端末装置３１を介する指示を待って（ステップＳ１）、図４に示すようなテーブルを作成し（ステップＳ２）、テーブルを記憶部１１に記憶する（ステップＳ３）。
【００３０】
カンファレンスを行う際には、オペレータは、例えばカンファレンスルームに設置された端末装置３２を用いてカンファレンスＩＤを指定する。情報処理サーバ１は、端末装置３２を介する指示に応じて、対応するデータを端末装置３２に向けて配信する。
【００３１】
図５のステップＳ１１〜ステップＳ１３は、端末装置３２へデータを配信する際の情報処理サーバ１の処理手順を示すフローチャートである。
【００３２】
図５のステップＳ１１では、端末装置３２を介するカンファレンスＩＤの入力を待って、ステップＳ１２へ進む。ステップＳ１２では記憶部１１の上記テーブル（図４）を参照する。ステップＳ１３では、上記テーブルに基づいて、対応するデータを格納部２から取得し、端末装置３２に向けて配信する。
【００３３】
例えば、「００１」というカンファレンスＩＤが指定された場合、このカンファレンスに対応する放射線検査画像Ａ、放射線検査レポートＢ、生理検査レポートＣ、生理検査レポートＤ等を格納部２から取得し、これを端末装置３２に配信する。
【００３４】
端末装置３２へのデータの配信は、対応するすべてのデータを一括して配信してもよいし、端末装置３２に対する操作により指定されたデータを一つずつ配信するようにしてもよい。
【００３５】
以上のように、本実施形態の医用情報処理システムによれば、カンファレンスに必要なデータを予めグルーピングしている。そして、カンファレンス実施時には、予めグルーピングされているデータを、簡単な操作により取得できる。このため、必要なデータを迅速、かつ確実に取得でき、間違ったデータの提示や、データの提示漏れを防止できる。また、複数の部門にわたるデータを１つずつ取得する場合のような煩雑な操作が不要となる。さらに、カンファレンスごとに関連するデータをテーブルとして記憶するので、データを効率的に管理できる。また、テーブルの修正によって、データの削除、追加、削除を実行できるようにすることで、データ指定時の操作性を向上できる。
【００３６】
上記実施形態では、カンファレンスに使用するデータへのアクセスについて説明したが、例えば、学会発表用のデータを予め指定し、必要なときにこれらのデータを取得することもできる。他の目的で複数のデータをグルーピングすることもできる。
【００３７】
また、ユーザ認証を行うとともに、データへのアクセス制限を行うようにしてもよい。例えば、各ユーザがアクセス可能な範囲を規定するテーブルを予め格納しておき、このテーブルに従って、認証されたユーザの各データへのアクセスの可否を決定することができる。アクセス制限の範囲は、データの参照およびデータの削除、追加、削除等に応じて適宜、設定できる。アクセスを制限する機能を情報処理サーバ１に設けてもよいし、端末装置３１，３２に設けてもよい。
【００３８】
上記実施形態では、テーブルの作成、記憶、およびデータの配信のための処理手順を情報処理サーバ１の制御に基づいて実行している。しかし、このような処理手順のうちの一部あるいは全部を端末装置の制御に基づいて実行するようにしてもよい。
【００３９】
本発明の適用範囲は上記実施形態に限定されることはない。本発明は、医用情報を取り扱う医用情報処理システムに対し、広く適用することができる。
【図面の簡単な説明】
【００４０】
【図１】本発明による医用情報処理システムを機能的に示すブロック図。
【図２】本実施形態の医用情報処理システムの構成を示すブロック図。
【図３】データ格納部に格納されるデータ構成を例示する図。
【図４】カンファレンスとデータとの関連付けを示すテーブルの構成例を示す図。
【図５】情報処理サーバの処理手順を示すフローチャート。
【符号の説明】
【００４１】
１      情報処理サーバ（関連付け手段、取得手段、アクセス制限手段）
１１    記憶部（関連付け手段）
２      格納部（格納手段）
３１，３２  端末装置
１０１  格納手段
１０２  関連付け手段
１０３  取得手段
【図１】
2007048099.tif 000003
【図２】
2007048099.tif 000004
【図３】
2007048099.tif 000005
【図４】
2007048099.tif 000006
【図５】
2007048099.tif 000007